(57)【特許請求の範囲】
【請求項１】
灰捨場内の水を汲み上げるための給水配管の前記灰捨場側の灰処理ポンプ棟にＪＰＰ給水ポンプが配設され、前記給水配管の下流側と灰を収容するＪＰＰタンクとがジェットパルジョンポンプに接続され、前記ジェットパルジョンポンプによって灰を水流とともに前記灰捨場に輸送するＪＰＰ灰輸送装置であって、
前記ＪＰＰ給水ポンプの吐出側に接続された前記給水配管の下流側である主管の長さは、前記給水配管の上流側の長さよりも桁違いに長く、前記主管は、前記灰処理ポンプ棟の設置場所の地下を通って前記ＪＰＰ給水ポンプ側の端部が地面から吐出して配設され、
前記ＪＰＰ給水ポンプの吐出側において、人の手の届く高さで着脱自在な短管を介して、前記給水配管の前記主管の端部が前記ＪＰＰ給水ポンプの吐出側に接続され、前記短管を取り外すことで前記給水配管の前記ＪＰＰ給水ポンプ側が開放される、
ことを特徴とするＪＰＰ灰輸送装置。
【請求項２】
前記短管を取り外した際の前記給水配管の開放端部に着脱自在で、前記給水配管の下流側から流れてくる清掃ピグを所定の場所に導く導管を備える、
ことを特徴とする請求項１に記載のＪＰＰ灰輸送装置。
【請求項３】
請求項１または２のいずれか１項に記載のＪＰＰ灰輸送装置の給水配管清掃方法であって、
前記短管を取り外し、前記給水配管の前記ジェットパルジョンポンプ側の端部から清掃ピグを前記給水配管内に挿入し、水流によって前記清掃ピグを前記給水配管内に流して、前記給水配管の開放端側から前記清掃ピグを排出させる、
ことを特徴とするＪＰＰ灰輸送装置の給水配管清掃方法。
【発明の詳細な説明】
【技術分野】
【０００１】
この発明は、灰を水流によって灰捨場に輸送するジェットパルジョンポンプ（ＪＰＰ）灰輸送装置およびその給水配管清掃方法に関する。
【背景技術】
【０００２】
石炭火力発電所では、火力発電によって発生した灰をＪＰＰ灰輸送装置による水流によって灰捨場に輸送している（例えば、特許文献１参照。）。すなわち、図４に示すように、このＪＰＰ灰輸送装置１００は、灰貯蔵サイロ１０１の下方にＪＰＰタンク２が設置され、このＪＰＰタンク２の下方に灰Ｈの灰捨場１０２が設けられている。この灰捨場１０２内には水が貯留され、この水を汲み上げるための給水配管３の灰捨場１０２側に、ＪＰＰ給水ポンプ４が配設されている。
【０００３】
この給水配管３の下流側は、ＪＰＰ給水入口弁５を介してＪＰＰタンク２まで延び、ジェットパルジョンポンプ６に接続されている。一方、灰貯蔵サイロ１０１からの灰Ｈを収容するＪＰＰタンク２の吐出口は、ジェットパルジョンポンプ６に接続され、ジェットパルジョンポンプ６の吐出口から、灰輸送管７が灰捨場１０２まで延びている。
【０００４】
そして、ＪＰＰ給水ポンプ４によって灰捨場１０２内の水が汲み上げられ、給水配管３を流れてジェットパルジョンポンプ６に達する。一方、灰貯蔵サイロ１０１に貯められた灰Ｈは、ＪＰＰタンク２に払い出されてジェットパルジョンポンプ６に送られ、ジェットパルジョンポンプ６によって灰Ｈが水流とともに灰輸送管７内を流れて、灰捨場１０２に輸送される。このようにして、灰捨場１０２内の水を循環使用しながら、灰Ｈを灰捨場１０２に輸送するものである。
【０００５】
ところで、ＪＰＰ給水ポンプ４で灰捨場１０２内の水を汲み上げる場合、灰捨場１０２内の灰Ｈも多少汲み上げることになり、灰輸送を継続するのに伴って、給水配管３内に灰Ｈが付着、堆積する。そして、このような灰Ｈの付着、堆積が生じると、給水圧力が低下し、さらには、水を適正にジェットパルジョンポンプ６まで給水できなくなる。このため、清掃ピグを用いて給水配管３内を清掃する必要がある。
【０００６】
すなわち、清掃ピグは、外径が給水配管３の内径よりもやや小さい円柱状で、この清掃ピグをジェットパルジョンポンプ６側から給水配管３内に挿入する。そして、水流によって清掃ピグを給水配管３内に流すことで、給水配管３内に付着した灰Ｈを除去するものであり、清掃ピグは、給水配管３の上流側（灰捨場１０２側）の端部から排出させる。従って、ＪＰＰ給水ポンプ４を迂回して清掃ピグを流す必要があった。
【０００７】
具体的には、ＪＰＰ給水ポンプ４の周辺は、図５に示すように、灰処理ポンプ棟１１０内に収容され、ＪＰＰ給水ポンプ４の上流側（灰捨場１０２側）には第１の弁１１１が配設され、ＪＰＰ給水ポンプ４の下流側には第２の弁１１２が配設されている。この第１の弁１１１と第２の弁１１２とを取り外し、第１の弁１１１の位置から第２の弁１１２の位置にわたってバイパス管１１３を配設する。そして、ジェットパルジョンポンプ６側から給水配管３内を流れてきた清掃ピグを、バイパス管１１３を通すことでＪＰＰ給水ポンプ４を迂回させ、給水配管３の灰捨場１０２側の端部から清掃ピグを排出していた。
【先行技術文献】
【特許文献】
【０００８】
【特許文献１】特開２０１１−３１２０７号公報
【発明の概要】
【発明が解決しようとする課題】
【０００９】
このように、清掃ピグで給水配管３内を清掃するには、第１の弁１１１と第２の弁１１２とを取り外してバイパス管１１３を配設しなければならず、さらには、清掃後に、バイパス管１１３を取り外して再び第１の弁１１１と第２の弁１１２とを取り付けなければならない。しかも、このような作業を行うには、ＪＰＰ給水ポンプ４の周辺に大規模な足場を設置、養生しなければならないため、多大な時間と労力、費用を要していた。
【００１０】
そこでこの発明は、給水配管内の清掃を容易に行うことが可能なＪＰＰ灰輸送装置およびその給水配管清掃方法を提供することを目的とする。
【課題を解決するための手段】
【００１１】
上記課題を解決するために、請求項１の発明は、灰捨場内の水を汲み上げるための給水配管の前記灰捨場側の灰処理ポンプ棟にＪＰＰ給水ポンプが配設され、前記給水配管の下流側と灰を収容するＪＰＰタンクとがジェットパルジョンポンプに接続され、前記ジェットパルジョンポンプによって灰を水流とともに前記灰捨場に輸送するＪＰＰ灰輸送装置であって、前記ＪＰＰ給水ポンプの吐出側に接続された前記給水配管の下流側である主管の長さは、前記給水配管の上流側の長さよりも桁違いに長く、前記主管は、前記灰処理ポンプ棟の設置場所の地下を通って前記ＪＰＰ給水ポンプ側の端部が地面から吐出して配設され、前記ＪＰＰ給水ポンプの吐出側において、人の手の届く高さで着脱自在な短管を介して、前記給水配管の前記主管の端部が前記ＪＰＰ給水ポンプの吐出側に接続され、前記短管を取り外すことで前記給水配管の前記ＪＰＰ給水ポンプ側が開放される、ことを特徴とするＪＰＰ灰輸送装置である。
【００１２】
この発明によれば、給水配管内を清掃するには、灰処理ポンプ棟外の地面から吐出して人の手の届く高さの短管を取り外し、給水配管のジェットパルジョンポンプ側の端部から清掃ピグを給水配管内に挿入し、水流によって清掃ピグを給水配管内に流して、給水配管の開放端（短管を取り外した端）から清掃ピグを排出させる。これにより、ＪＰＰ給水ポンプの吐出側に接続された給水配管の下流側の長さは、給水配管の上流側の長さよりも桁違いに長いので、給水配管のジェットパルジョンポンプ側の端部から開放端まで、つまりＪＰＰ給水ポンプの吐出側までが清掃ピグで清掃される。
【００１３】
請求項２の発明は、請求項１に記載のＪＰＰ灰輸送装置において、前記短管を取り外した際の前記給水配管の開放端部に着脱自在で、前記給水配管の下流側から流れてくる清掃ピグを所定の場所に導く導管を備える、ことを特徴とする。
【００１４】
請求項３の発明は、請求項１または２のいずれか１項に記載のＪＰＰ灰輸送装置の給水配管清掃方法であって、前記短管を取り外し、前記給水配管の前記ジェットパルジョンポンプ側の端部から清掃ピグを前記給水配管内に挿入し、水流によって前記清掃ピグを前記給水配管内に流して、前記給水配管の開放端側から前記清掃ピグを排出させる、ことを特徴とする。
【発明の効果】
【００１５】
請求項１、３の発明によれば、灰処理ポンプ棟外の地面から吐出して人の手の届く高さの短管を取り外すだけで、ＪＰＰ給水ポンプの吐出側に接続された給水配管の下流側の長さは、給水配管の上流側の長さよりも桁違いに長いので、清掃ピグによる給水配管内の清掃を行うことができる。つまり、ＪＰＰ給水ポンプの弁を取り外してバイパス管を配設する必要がないため、給水配管内の清掃を容易かつ迅速、安全に行うことが可能となる。しかも、清掃後には、短管を取り付けるだけでよいため、容易かつ迅速、安全に装置を復旧することができる。
【００１６】
請求項２の発明によれば、清掃ピグを所定の場所に導く導管を備えるため、清掃ピグを灰捨場などに導いて排出することで、清掃作業や清掃環境を管理することができる。
【図面の簡単な説明】
【００１７】
【図１】この発明の実施の形態に係るＪＰＰ灰輸送装置を示す概略構成図である。
【図２】図１のＪＰＰ灰輸送装置の灰処理ポンプ棟周辺を示す概念図である。
【図３】図１のＪＰＰ灰輸送装置の短管の配設状態を示す図（ａ）と、導管の配設状態を示す図（ｂ）である。
【図４】従来のＪＰＰ灰輸送装置を示す概略構成図である。
【図５】図４のＪＰＰ灰輸送装置の灰処理ポンプ棟周辺を示す概念図である。
【発明を実施するための形態】
【００１８】
以下、この発明を図示の実施の形態に基づいて説明する。
【００１９】
図１〜３は、この発明の実施の形態を示し、図１は、この発明の実施の形態に係るＪＰＰ灰輸送装置１を示す概略構成図である。このＪＰＰ灰輸送装置１は、灰Ｈを水流によって灰捨場１０２に輸送する装置であり、主として給水配管３が従来のＪＰＰ灰輸送装置と異なるため、従来と同等の構成については、同一符号を付することでその説明を省略する。
【００２０】
すなわち、ＪＰＰ灰輸送装置１は、灰捨場１０２内の水を汲み上げるための給水配管３の灰捨場１０２側にＪＰＰ給水ポンプ４が配設され、給水配管３の下流側と灰Ｈを収容するＪＰＰタンク２とがジェットパルジョンポンプ６に接続されている。そして、ジェットパルジョンポンプ６によって、灰Ｈを水流とともに灰捨場１０２に輸送するものである。
【００２１】
このようなＪＰＰ灰輸送装置１のＪＰＰ給水ポンプ４の吐出側において、着脱自在な短管８を介して給水配管３がＪＰＰ給水ポンプ４の吐出側に接続され、この短管８を取り外すことで給水配管３のＪＰＰ給水ポンプ４側が開放されるようになっている。
【００２２】
具体的には、図１に示すように、給水配管３は、吸込み側配管３１と、吐出側配管３２と、主管３３とから構成されている。吸込み側配管３１は、一端部がＪＰＰ給水ポンプ４の吸込み口に接続され、他端部が灰捨場１０２内の水に接して配設されている。吐出側配管３２は、一端部がＪＰＰ給水ポンプ４の吐出口に接続され、主管３３は、一端部（下流側端部）がＪＰＰ給水入口弁５を介してジェットパルジョンポンプ６に接続されている。そして、吐出側配管３２の他端部（開放端部）と主管３３の他端部（開放端部）とを連結するように、短管８が着脱自在に配設されている。
【００２３】
すなわち、図３（ａ）に示すように、吐出側配管３２の他端部と主管３３の他端部とには、それぞれフランジ３２ａ、３３ａが形成されている。一方、短管８は、真っ直ぐに延びる丸管で、その両端部にそれぞれフランジ８ａ、８ｂが形成されている。そして、短管８の一方のフランジ８ａと吐出側配管３２のフランジ３２ａとをボルト、ナットで接続し、短管８の他方のフランジ８ｂと主管３３のフランジ３３ａとをボルト、ナットで接続することで短管８が取り付けられ、給水配管３（主管３３）が短管８を介してＪＰＰ給水ポンプ４の吐出側に接続される。また、ボルト、ナットを外して接続を解除することで短管８が取り外せ、これにより、主管３３のＪＰＰ給水ポンプ４側と吐出側配管３２の他端部とが開放されるようになっている。
【００２４】
ここで、吸込み側配管３１と吐出側配管３２の長さは数ｍ程度であり、主管３３の長さは数百ｍとなっている。また、ＪＰＰ給水ポンプ４は、図２に示すように、灰処理ポンプ棟１１０内の高い位置に配設されている。
【００２５】
一方、主管３３は、灰処理ポンプ棟１１０が設置されている設置場所の地下（床下）を通ってジェットパルジョンポンプ６側に配設されている。すなわち、図３に示すように、主管３３のＪＰＰ給水ポンプ４側の端部が、地面（床面）から吐出して配設されている。そして、人の手が届く高さに短管８のフランジ８ａ、８ｂが位置するように、主管３３のフランジ３３ａの地面からの高さや、短管８の長さ（吐出側配管３２のフランジ３２ａの高さ）が設定されている。これにより、地面上（床面上）で人が、短管８や後述する導管９の着脱作業を行えるようになっている。
【００２６】
さらに、このＪＰＰ灰輸送装置１は、短管８を取り外した際の主管３３（給水配管３）の開放端部に着脱自在で、主管３３（給水配管３）の下流側から流れてくる清掃ピグを所定の場所に導く導管９を備えている。
【００２７】
この導管９は、図３（ｂ）に示すように、アングル管９１とフレキシブル管９２とを備えている。アングル管９１は、軸心が略Ｌ字状に曲がった丸管で、一端部にフランジ９１ａが形成されている。そして、主管３３のフランジ３３ａ（開放端部）にアングル管９１のフランジ９１ａをボルト、ナットで接続することで、アングル管９１（導管９）が主管３３に取り付けられ、ボルト、ナットを外して接続を解除することで、アングル管９１（導管９）を取り外せるようになっている。
【００２８】
フレキシブル管９２は、変形自在な管で、一端部がアングル管９１の他端部に接続されている。このフレキシブル管９２の長さは、他端部（開放端部）が所定・所望の場所に達するように設定されている。すなわち、この実施の形態では、フレキシブル管９２の開放端部が灰捨場１０２に達するように設定され、後述するようにして主管３３のジェットパルジョンポンプ６側（下流側）から流れてくる清掃ピグを、灰捨場１０２に案内するようになっている。このようなアングル管９１とフレキシブル管９２との内径は、給水配管３の内径とほぼ同径かやや大きく設定され、清掃ピグが通過しやすいようになっている。
【００２９】
次に、このような構成のＪＰＰ灰輸送装置１の作用および給水配管清掃方法などについて説明する。
【００３０】
まず、通常の灰輸送時においては、ＪＰＰ給水ポンプ４によって灰捨場１０２内の水が汲み上げられ、吸込み側配管３１、吐出側配管３２、短管８および主管３３を流れてジェットパルジョンポンプ６に達する。一方、灰貯蔵サイロ１０１に貯められた灰Ｈは、ＪＰＰタンク２に払い出されて、ＪＰＰタンク２の吐出口からジェットパルジョンポンプ６に送られる。そして、ジェットパルジョンポンプ６によって灰Ｈが水流とともに灰輸送管７内を流れて、灰捨場１０２に輸送される。このようにして、灰Ｈと水とが灰捨場１０２内に送られ、灰捨場１０２内の水が再びＪＰＰ給水ポンプ４によって汲み上げられ、循環使用される。
【００３１】
このような灰輸送を継続すると、給水配管３内に灰Ｈが付着、堆積し、ＪＰＰ給水ポンプ４による給水圧力が低下する。この場合、清掃ピグを用いて、次のようにして給水配管３を清掃する。ここで、清掃ピグは、外径が給水配管３の内径よりもやや小さい円柱状で、先端が半球状に形成され、外周面には突起が複数設けられている。
【００３２】
まず、短管８を取り外す。すなわち、上記のように、短管８の両フランジ８ａ、８ｂのボルト、ナットを外して、短管８を取り外す。これにより、給水配管３の主管３３のＪＰＰ給水ポンプ４側と吐出側配管３２の他端部とが開放される。次に、主管３３の開放端に導管９を接続する。すなわち、上記のようにして、主管３３のフランジ３３ａにアングル管９１のフランジ９１ａを接続し、フレキシブル管９２の開放端部を灰捨場１０２内に位置させる。
【００３３】
このような状態で、給水配管３の主管３３のジェットパルジョンポンプ６側の端部（ジェットパルジョンポンプ６との接続部付近）から、清掃ピグを主管３３内に挿入する。続いて、主管３３のジェットパルジョンポンプ６側の端部から所定圧の水を流し入れ、水流、水圧によって清掃ピグを主管３３内に流す。そして、清掃ピグが主管３３内を通過することで、主管３３内の灰Ｈが除去されていく。その後、清掃ピグが主管３３のフランジ３３ａに達すると、清掃ピグが導管９内に流入し、導管９内を流れてフレキシブル管９２の開放端部から灰捨場１０２に排出される。このとき、除去された灰Ｈや水も灰捨場１０２に排出される。
【００３４】
ここで、給水配管３の主管３３内のみに清掃ピグを通して清掃しているが、これによって給水配管３全体の給水圧力を高めることができる。つまり、給水配管３全体を清掃ピグで清掃したのと同等の効果を得ることができる。なぜなら、吸込み側配管３１と吐出側配管３２の長さが数ｍ程度であるのに対して、主管３３の長さは数百ｍと桁違いに長く、主管３３内を清掃ピグで清掃することで主管３３の給水圧力が大きく高まり、給水配管３全体としても給水圧力が高まるためである。さらに、ＪＰＰ給水ポンプ４による給水を行った際に、高い水圧によって、吸込み側配管３１内や吐出側配管３２内の灰Ｈが除去されるためである。
【００３５】
このようにして清掃が終了した後には、主管３３から導管９を取り外し、上記のようにして、吐出側配管３２と主管３３とを連結するように、短管８を取り付けるものである。
【００３６】
以上のように、このＪＰＰ灰輸送装置１および給水配管清掃方法によれば、短管８を取り外して導管９を取り付けるだけで、ＪＰＰ給水ポンプ４を迂回して（避けて）清掃ピグによる給水配管３（主管３３）内の清掃を行うことができる。つまり、従来のように、灰処理ポンプ棟１１０内に大規模な足場を設置、養生し、ＪＰＰ給水ポンプ４の弁１１１、１１２を取り外してバイパス管１１３を配設する必要がない。しかも、短管８や導管９の取り付け、取り外しは、ボルト、ナットによってフランジ８ａ、８ｂ、３２ａ、３３ａ、９１ａを接続、離脱するだけでよく、容易に行うことができる。
【００３７】
さらに、作業性が良い地面上（床面上）で人が、短管８や導管９の着脱作業を行えるため、足場や吊り上げ機などが不要で、容易かつ迅速、安全に着脱作業を行うことができる。このようにして、給水配管３内の清掃を容易かつ迅速、安全に行うことが可能となる。この結果、ＪＰＰ灰輸送装置１の停止時間および灰貯蔵サイロ１０１の払い出し不可時間を短縮することができる。
【００３８】
また、導管９で案内されて、清掃ピグが灰Ｈや水とともに灰捨場１０２に排出されるため、清掃作業や清掃環境を管理することができる。つまり、不測の場所に清掃ピグが排出されて作業が煩雑になるのを防止したり、不測の場所に灰Ｈや水が流れることで作業環境が悪化するのを防止したりすることができる。
【００３９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、真っ直ぐに延びる丸管で短管８を構成しているが、変形可能・伸縮可能な管で短管８を構成し、短管８を吐出側配管３２と主管３３との間に取り付けやすいようにしてもよい。また、清掃ピグや灰Ｈなどを導管９で灰捨場１０２に排出するようにしているが、周囲環境や清掃条件などに応じて他の場所に排出するようにしてもよい。
【符号の説明】
【００４０】
１        ＪＰＰ灰輸送装置
２        ＪＰＰタンク
３        給水配管
３１      吸込み側配管
３２      吐出側配管
３３      主管
４        ＪＰＰ給水ポンプ
５        ＪＰＰ給水入口弁
６        ジェットパルジョンポンプ
７        灰輸送管
８        短管
９        導管
１０１    灰貯蔵サイロ
１０２    灰捨場
１１０    灰処理ポンプ棟
Ｈ        灰
【要約】
【課題】  ＪＰＰ灰輸送装置の給水配管内の清掃を容易に行えるようにする。
【解決手段】  ＪＰＰ給水ポンプ４の吐出側において、着脱自在な短管８を介して給水配管３をＪＰＰ給水ポンプ４の吐出側に接続する。給水配管３内を清掃する際には、短管８を取り外し、給水配管３のジェットパルジョンポンプ６側の端部から清掃ピグを給水配管３内に挿入し、水流によって清掃ピグを給水配管３内に流して、給水配管３の開放端側から清掃ピグを排出させる。
【選択図】  図１【図１】
0005602276.tif 000002
【図２】
0005602276.tif 000003
【図３】
0005602276.tif 000004
【図４】
0005602276.tif 000005
【図５】
0005602276.tif 000006